(57)【要約】軟質のシート本体１０の粘着面１２に粘着層１２ａを備えると共に、当該粘着層１２ａ上に網状体１１を備え、当該網状体１１を含む前記粘着層を１２ａ剥離紙１３で覆う。これによってシート本体１０の粘着面１２を床面や壁面Ｗなどに接触させたときに、網状体１１が邪魔となってその粘着層１２ａが床面や壁面Ｗなどと直接接触し難くなるため、害虫Ｐを捕獲する際にシート本体１０が床面Ｗなどと強く粘着することを防止できる。また、床面Ｗなどに粘着剤が残らないため、床面Ｗを汚すこともない。
2019176840.tif 000002
【特許請求の範囲】
【請求項１】
軟質のシート本体の粘着面に粘着層を備えると共に、当該粘着層上に網状体を備え、当該網状体を含む前記粘着層を剥離紙で覆ったことを特徴とする捕虫シート。
【請求項２】
軟質のシート本体の粘着面に突起を複数備えると共に、前記粘着面の突起を除くほぼ全面に粘着層を備え、当該前記粘着層を剥離紙で覆ったことを特徴とする捕虫シート。
【請求項３】
請求項１または２に記載の捕虫シートにおいて、
前記シート本体に、これを前記粘着面を内側にして折り重ねるための折り線を備えたことを特徴とする捕虫シート。
【請求項４】
請求項１乃至３のいずれかに記載の捕虫シートにおいて、
前記シート本体の先端面に先端粘着層を備えたことを特徴とする捕虫シート。
【請求項５】
前記請求項１乃至４のいずれかの捕虫シートを保持する捕虫具であって、
前記捕虫シートの粘着面の裏面側に位置する抑えプレートと、前記捕虫シートを前記抑えプレートで挟持するクランプと、前記抑えプレートから延びるグリップとを有することを特徴とする捕虫具。
【発明の詳細な説明】
【技術分野】
【０００１】
本発明は、ゴキブリやムカデのような家屋内に侵入してきた害虫を粘着して捕獲するための捕虫シートおよびこれを用いた捕虫具に関するものである。
【背景技術】
【０００２】
従来一般家屋に棲み着いている害虫としては、チャバネゴキブリやクロゴキブリなどが代表的であるが、これに加え最近では地球温暖化などに伴いムカデやヤスデ、蛾、カメムシ、ヤモリなどの多様な昆虫が侵入するケースが増えてきている。さらに将来的にはスズメバチやセアカゴケグモ、ヒアリのような猛毒を持つ害虫の侵入による被害も懸念される。【０００３】
これら害虫を発見した場合には、通常スプレー式の殺虫剤を噴霧したり、ハエたたきで潰すなどして駆除している。しかし、スプレー式の殺虫剤で駆除する方法では即効性が乏しく、すぐにタンスの陰や隙間などに逃げ込まれたりしてしまい、達成感や効果が得られにくい。一方、ハエたたきで潰す方法では、叩く力が弱いと逃げられてしまい、反対に強くたたきすぎると虫の体が潰れて体液などが周囲に飛び散ってしまい、極めて不快な上にその箇所の清掃や死骸の後始末が面倒である。【０００４】
そのため、本発明者は例えば以下の特許文献１に示すような新しい捕虫具を提案している。この捕虫具は例えば長さが３０ｃｍ程度の柄の先端にプレートと押え板を取りつけると共に、そのプレートと押え板の間に粘着面を備えた軟質の捕虫板を取りつけたものである。そして、この捕虫具を用いてゴキブリなどの害虫を捕るときには、片手で柄を握り、その捕虫板の粘着面の剥離紙を剥がし、ハエたたきの要領でその捕虫板の粘着面をゴキブリの上にから被せることによってそのゴキブリを捕虫板に粘着して捕捉する。【０００５】
そして、ゴキブリを捕らえた後は、この捕虫板の先端側の粘着剤が塗布されていない面をそのまま床面に押しつけるなどして柏餅を作る要領で二つ折りに重ね合わせてその中にゴキブリを包み込むようにし、その後、そのまま捕虫板と共にゴミ箱に捨てることで捕らえたゴキブリをスマートに始末できるしたものである。【０００６】
また、この特許文献１に示すような捕虫具によって害虫を捕獲するに際し、的が外れて害虫を捕獲し損なった場合にはその捕虫板全体が、また、うまく捕獲できてもその害虫以外の部分がそのまま床面や壁面などに粘着して剥がれなくなってしまうことがある。そのため、捕虫板の断面形状を波形にしたり、粘着剤が塗布された面を網目状の凸部やエンボス加工することで平面上の床面などとの接触面積を小さくして床面などとの粘着力を小さくする工夫をしている。
【先行技術文献】
【特許文献】
【０００７】
【特許文献１】登録実用新案第３００６１１５号公報
【発明の概要】
【発明が解決しようとする課題】
【０００８】
しかしながら、動きの速い害虫を確実に捕獲するためには、捕虫板の粘着剤として強い粘着力のあるものを使う必要があり、そうすると従来のように捕虫板と床面や壁面などとが点または線接触したとしてもその粘着板が床面や壁面などに強く粘着してしまい、剥がれなくなることがある。また、点または線接触であっても粘着剤の一部がそのまま床面や壁面などに残って床面を汚してしまうこともある。【０００９】
そこで、本発明はこれらの課題を解決するために案出されたものであり、その主な目的は、害虫を捕獲する際にシート本体が床面や壁面などと強く粘着することを防止できる新規な捕虫シートおよびこれを用いた捕虫具を提供することにある。
【課題を解決するための手段】
【００１０】
前記課題を解決するために第１の発明は、軟質のシート本体の粘着面に粘着層を備えると共に、当該粘着層上に網状体を備え、当該網状体を含む前記粘着層全体を剥離紙で覆ったことを特徴とする捕虫シートである。このような構成によれば、シート本体の粘着面を床面や壁面などに接触させたときに、網状体が邪魔となってその粘着層が床面や壁面などと直接接触し難くなるため、害虫を捕獲する際にシート本体が床面や壁面などと強く粘着することを防止できる。また、床面や壁面などに粘着剤が残らないため、床面を汚すこともない。その一方、床面や壁面上の害虫に対しては、その網状体から露出している粘着層部分が接触するため、確実に粘着して捕獲することができる。【００１１】
第２の発明は、軟質のシート本体の粘着面に突起を複数備えると共に、前記粘着面の突起を除くほぼ全面に粘着層を備え、当該粘着層全体を剥離紙で覆ったことを特徴とする捕虫シートである。このような構成によれば、軟質シートの粘着面を床面や壁面などに接触させたときに、床面や壁面などと接する突起に粘着成分がないため、害虫を捕獲する際にシート本体が床面や壁面などと強く粘着することを防止できる。また、第１の発明と同様に床面や壁面などに粘着剤が残らないため、床面を汚すこともない。また、床面や壁面上の害虫に対しては、その網状体から露出している粘着層部分が接触するため、確実に粘着して捕獲することができる。【００１２】
第３の発明は、第１または２の発明において、前記シート本体に、これを前記粘着面を内側にして折り重ねるための折り線を備えたことを特徴とする捕虫シートである。このような構成によれば、害虫を捕獲した後に、その折り線部分からシート本体を容易に二つ折りできるため、捕獲した害虫を包み込むようにしてスマートに処理することができる。【００１３】
第４の発明は、第１乃至３いずれかの発明において、前記シート本体の先端面に先端粘着層を備えたことを特徴とする捕虫シートである。このような構成によれば、害虫を捕獲した後、これをシート本体を二つ折りして包み込んで処理する際に、その先端粘着層を床面などに接触させてその部分を床面に軽く粘着させるようにすれば、容易且つ確実に害虫をシート本体の粘着面に包み込むことができる。【００１４】
第５の発明は、前記捕虫シートを保持する捕虫具であって、前記捕虫シートの粘着面の裏面側に位置する抑えプレートと、前記捕虫シートを前記抑えプレートで挟持するクランプと、前記抑えプレートから延びるグリップとを有することを特徴とする捕虫具である。このような構成によれば、利用者は捕虫シートをクランプによって抑えプレートに取り付けた後にグリップを把持してハエたたきの要領でその捕虫シートを害虫に被せて粘着することで害虫を簡単に捕獲してスマートに処理することができる。
【発明の効果】
【００１５】
本発明によれば、以下のような優れた効果を発揮する。
１．シート本体の粘着面を床面や壁面などに接触させたときに、網状体が邪魔となってその粘着層が床面や壁面などと直接接触し難くなるため、害虫を捕獲する際にシート本体が床面や壁面などと強く粘着することを防止できる。
２．床面などと接する突起部分に粘着成分がないため、害虫を捕獲する際にシート本体が床面や壁面などと強く粘着することを防止できる。
３．床面などに粘着剤が残らないため、床面を汚すこともない。
４．害虫を捕獲した後に、その折り線部分からシート本体を容易に二つ折りできるため、捕獲した害虫を包み込むようにしてスマートに処理することができる。
５．害虫を捕獲した後、これをシート本体を二つ折りして包み込んで処理する際に、その先端粘着層を床面などに接触させてその部分を床面に軽く粘着させるようにすれば、容易且つ確実に害虫をシート本体の粘着面に包み込んで処理することができる。
【図面の簡単な説明】
【００１６】
【図１】本発明に係る捕虫シート１００の実施の一形態を示す表面図である。
【図２】本発明に係る捕虫シート１００の実施の一形態を示す裏面図である。
【図３】図１中Ａ−Ａ線断面図である。
【図４】図３中Ａ方向からみた正面図である。
【図５】本発明に係る捕虫具２０の実施の一形態を示す斜視図である。
【図６】本発明に係る捕虫具２０の実施の一形態を示す側面図である。
【図７】本発明に係る捕虫具２０の実施の一形態を示す底面図である。
【図８】捕虫シート１００およびこれを取り付ける抑えプレート２１を示す底面図である。
【図９】クランプ２２を示す斜視図である。
【図１０】（Ａ）はクランプ２２を示す平面図、（Ｂ）はその側面図である。
【図１１】（Ａ）はクランプ２２を開いた状態を示す側面図、（Ｂ）はクランプ２２を閉じた状態を示す側面図である。
【図１２】捕虫具２０のグリップ２３構造およびこれを伸ばした状態を示す側面図である。
【図１３】本発明に係る捕虫具２０の使用例を示す説明図である。
【図１４】捕獲した害虫Ｐの包み込み処理を示す説明図である。
【図１５】捕獲した害虫Ｐの包み込み処理を示す説明図である。
【図１６】本発明に係る捕虫シート１００の他の実施の形態を示す表面図である。
【図１７】本発明に係る捕虫シート１００の他の実施の形態を示す裏面図である。
【図１８】図１６中Ａ−Ａ線断面図である。
【図１９】図１８中Ａ方向からみた正面図である。
【図２０】図１６に示す捕虫シート１００の製造例を示す説明図である。
【発明を実施するための形態】
【００１７】
以下、本発明の実施の形態を添付図面を参照しながら説明する。図１乃至図４は本発明に係る捕虫シート１００の実施の一形態を示したものであり、図１はその表面図、図２はその裏面図、図３は図１中Ａ−Ａ線断面図、図４は図３中Ａ方向から見た正面図である。図示するようにこの捕虫シート１００は、ほぼ矩形状をした軟質のシート本体１０の粘着面（表面）１２に粘着層１２ａを有すると共にその粘着層１２ａ上に網状体１１を備えた構造となっている。
【００１８】
また、この網状体１１の上には粘着層１２ａ全体を覆うように剥離紙１３が重ねて設けられており、この剥離紙１３を剥がすことで、粘着層１２ａ全体を網状体１１と共に露出できるようになっている。一方、この粘着面１２の反対面（裏面）は図２に示すように粘着層１２ａや網状体１１などは設けられておらず、シート本体１０の地肌がそのまま剥き出し状態となっている。
【００１９】
この軟質のシート本体１０は、容易に折り畳みが可能な材料であれば特に限定されるものではないが、例えば発泡ポリスチレンなどの軽量で柔軟な材料が望ましく、また、その大きさとしては例えば長さ約１５０ｍｍ、幅１００ｍｍ、厚さ２〜３ｍｍ程度となっている。また、このシート本体１０の一端部（後端）には、これと連続するように取付部１０ａが設けられていると共に、この取付部１０ａには、この捕虫シート１００を後述する捕虫具２０に取り付けるための一対の取付穴１４，１４がその幅方向に形成されている。
【００２０】
このシート本体１０には、その先端から所定の位置、例えば先端から５〜６ｃｍの位置に折り線１５がその幅方向に延びるように形成されており、この折り線１５部分からシート本体１０を粘着面１２を内側にして二つ折りできるようになっている。なお、この折り線１５は、図３の拡大図に示すように具体的にはＶ字状のスリットや凹部からなっている。また、このシート本体１０の粘着面１２は、予めその全体に亘って円滑なコーティング処理がなされており、耐久性（硬度）の強化および粘着剤の定着性を向上させている。
【００２１】
シート本体１０上の粘着層１２ａは、ゴム系やアクリル系などの公知の粘着剤からなっている。また、図４に示すようにこのシート本体１０の先端面のほぼ中央部にも粘着面１２の粘着層１２ａと連続または独立した先端粘着層１２ｂが設けられており、従って、剥離紙１３もこの部分を覆うように先端側部分が延長して形成されている。
【００２２】
網状体１１は、太さが０．２ｍｍ程度のポリプロピレン（ＰＰ）などの樹脂からなる糸Ｙを格子状または菱形（ダイヤモンド形）に編み込んでなるものであり、粘着層１２ａ上に浮くように設けられている。また、この網状体１１は、図１に示すようにその網目間隔が約５ｍｍ〜２０ｍｍ、好ましくは約１０ｍｍ前後となっていると共に、各糸Ｙの交差部Ｃが相互に結び合った有結節となっていて点状に盛り上がった状態となっている。なお、この網状体１１の交差部は無結節構造やラッセル構造であってもよい。
【００２３】
図５乃至図７は、この捕虫シート１００を取り付けて用いる捕虫具２０の実施の一形態を示したものであり、図５はその斜視図、図６はその側面図、図７はその底面図である。
図示するようにこの捕虫具２０は、前述した捕虫シート１００の裏面（非粘着面）側に位置する抑えプレート２１と、この抑えプレート２１に捕虫シート１００を保持するクランプ２２と、このクランプ２２から延びるグリップ２３とから構成されている。先ず、抑えプレート２１は、図５乃至図７に示すように杓文字の如く先端が楕円形に広がったへら状になった薄板体からなっており、その内側（下面側）に捕虫シート１００を取り付けるようになっている。
【００２４】
すなわち、図８に示すようにこの抑えプレート２１の下面端部の狭窄部（グリップ２３側）には、シート本体１０の取付部１０ａに形成された一対の取付穴１４，１４と対応する一対の突起２１ａ、２１ａと、その取付部１０ａの外縁部に沿って延びるガイド２１ｂ、２１ｂが形成されており、この突起２１ａ、２１ａをそれぞれシート本体１０の取付穴１４，１４に嵌め込むことで図７に示すように抑えプレート２１の下面に捕虫シート１００を取り付けることができるようになっている。
【００２５】
なお、この抑えプレート２１は、その全体あるいは少なくともその先端の平板部分、例えば図９のラインＬより先の部分は、ゴム（エラストマー）、またはソフトラバーなどと称されるポリ塩化ビニル（ＰＶＣ）、またはポリエチレン、ポリプロピレンなどの柔軟な樹脂材料から形成されており、適度な力が加わることで変形・復元可能な可撓性を有している。
【００２６】
クランプ２２は、図９および図１０に示すように、扇形状をしたクランプ本体２２ａと、このクランプ本体２２ａから延びるバー状のハンドル２２ｂと、その接続部に位置する軸孔２２ｃ、２２ｃと、コイルスプリング２２ｄと、連結用の分割ピン２２ｅ、２２ｅとから構成されている。
【００２７】
そして、図１１に示すように、このコイルスプリング２２ｄの一端をハンドル２２ｂのばね溝２２ｇ内に嵌め込むように位置させた状態でその軸孔２２ｃ、２２ｃを、抑えプレート２１側の図示しない軸孔と同軸になるように位置させた後、図１０に示すようにその軸孔２２ｃ、２２ｃに対し、その両側から分割ピン２２ｅ、２２ｅを差し込んで一体化させることで、この分割ピン２２ｅ、２２ｅを軸としてクランプ２２が上下に揺動自在に取り付けられるようになっている。
【００２８】
このようにして抑えプレート２１側に取り付けられたクランプ２２は、その軸部に設けられたコイルスプリング２２ｄによってその扇形状をしたクランプ本体２２ａ側が抑えプレート２１の下面側に密着するように付勢されている。従って、指によって図１２に示すようにハンドル２２ｂをグリップ２３側に動かせば、その全体が揺動してクランプ本体２２ａが抑えプレート２１から離間し、その状態からグリップ２３を離せばコイルスプリング２２ｄの付勢力によって自動的に元も戻るようになっている。
【００２９】
また、図９および図１０に示すようにこのクランプ２２のクランプ本体２２ａには、捕虫シート１００の取付穴１４，１４と相似形の嵌合穴２２ｆ、２２ｆが形成されており、クランプ本体２２ａ側が抑えプレート２１の下面側に密着したときに、これが抑えプレート２１側の突起２１ａ、２１ａと嵌合し、干渉することなく両者が密着するようになっている。
【００３０】
グリップ２３は、図１２に示すように伸縮自在な多段のチューブ（管体）から構成されている。すなわち、このグリップ２３は図示するように手で直接把持する内部中空のグリップ本体２３ａと、このグリップ本体２３ａ内に挿脱される第１インナーチューブ２３ｂと、この第１インナーチューブ２３ｂ内に挿脱される第２インナーチューブ２３ｃと、この第２インナーチューブ２３ｃ内に挿脱される第３インナーチューブ２３ｄとから構成されている。
【００３１】
そして、この第３インナーチューブ２３ｄの先端側が、抑えプレート２１の上端面から延びるグリップヘッド２３ｅを介して抑えプレート２１に一体的に連結されている。なお、これらグリップ本体２３ａ、第１インナーチューブ２３ｂ、第２インナーチューブ２３ｃ、第３インナーチューブ２３ｄの長さとしては、例えばそれぞれ約２０ｃｍ程度であり、それらを最大に伸張した状態での長さは６０〜８０ｃｍ、最小に伸縮した状態での長さはそのグリップ本体２３ａの長さ、すなわち約２０ｃｍ程度となっている。従って、このグリップ本体２３ａ内に収めされた第１インナーチューブ２３ｂ、第２インナーチューブ２３ｃ、第３インナーチューブ２３ｄの繰出量を調整することでこのグリップ２３全体の長さを約２０〜８０ｃｍの範囲で自由に調整できるようになっている。
【００３２】
次に、このような構成をした本発明に係る捕虫具２０の作用を説明する。居住者がその室内の床面や壁面などに害虫を発見した場合は、先ず図１１に示すようにクランプ２２のハンドル２２ｂを持ち上げて抑えプレート２１の下面に、粘着面１２が下側に向くように捕虫シート１００を取り付けた後、クランプ２２のハンドル２２ｂを離してその捕虫シート１００をクランプ２２と抑えプレート２１で挟持する。また、これと共に図１２に示すようにそのグリップ２３の第１インナーチューブ２３ｂなどを引き出して適用な長さに調整する。
【００３３】
そして、図１３（Ａ）、（Ｂ）に示すようにそのグリップ２３のグリップ本体２３ａ部分を手で把持してハエたたきの如くその害虫Ｐの上から捕虫シート１００を被せるようにその抑えプレート２１をその床面または壁面Ｗ上に瞬時にたたきつける。これによって、その床面Ｗ上の害虫Ｐが捕虫シート１００の粘着層１２ａに粘着してその動きが規制されて捕捉される。なお、図では便宜上グリップ２３を最小に縮めた状態で示している。
【００３４】
また、このグリップ２３は伸縮性の多段チューブからなるため、前述したようにこのグリップ２３を適宜伸ばせば、天井や物陰のように手が届きにくい位置にも簡単にその捕虫シート１００を臨ませることができるため、そのような場所に居る害虫Ｐであっても容易に捕捉することができる。
【００３５】
そして、このようにして害虫Ｐを捕虫シート１００で捕捉したならば、図１３（Ｃ）に示すようにその捕虫シート１００を床面Ｗから離すと、その害虫Ｐがその捕虫シート１００の粘着面１２に粘着して捕獲されることになる。このとき、その害虫Ｐ周囲の粘着面１２が床面Ｗに触れてしまうことになるが、前述したようにこの粘着面１２の粘着層１２ａ上には網状体１１が設けられているため、これが邪魔となってその捕虫シート１００がそのまま床面Ｗなどにべったりと貼り付いてしまったり、粘着層１２ａの粘着剤が床面Ｗなどに残って汚してしまうようなことはない。
【００３６】
この点は、仮にその捕虫シート１００で害虫Ｐを捕捉し損なった場合でも同様であり、捕虫シート１００の粘着面１２が床面Ｗなどに粘着して剥がれなくなってしまうようなことはない。また、網状体１１が前記のように有結節を有するものであれば、この有結節部分だけが床面Ｗに対して点状に接触するため、床面Ｗと粘着層１２ａとが接触するのを回避または接触してもその面積をより少なく抑えることができる。その一方、床面や壁面Ｗ上の害虫Ｐに対しては、その網状体１１から露出している粘着層１２ａ部分が接触するため、確実に粘着して捕獲することができる。
【００３７】
このようにして害虫Ｐを捕虫シート１００の粘着面１２に捕捉したならば、そのままグリップ２３を操作して図１４に示すように捕虫シート１００の先端をその近傍の床面Ｗなどに押し付けてその捕虫具２０を床面Ｗとほぼ平行に前方に動かす。すると、その捕虫シート１００のシート本体１０の先端側がその折り線１５部分で粘着面１２側に折り曲がるため、そのまま捕虫具２０を床面Ｗ側に押し込んで二つ折りに折り重ねる。これによって、図１５に示すようにその粘着面１２に捕捉された害虫Ｐの全体がその折り曲げられたシート本体１０の先端部分で包み込むように覆われて外から見えないようにその内部に完全に捕捉される。
【００３８】
また、このように捕虫シート１００の先端を床面や壁面Ｗなどに押し付けて二つ折りするに際しては、図１５に示すようにそのシート本体１０の先端粘着層１２ｂを床面Ｗなどに接触させることにより、容易かつ確実にその作業を行うことができる。すなわち、このシート本体１０の先端粘着層１２ｂがないと、そのシート本体１０の先端を床面Ｗなどに押し付けた際にそのまま床面上を滑ってしまってその作業が難しくなることがあるが、その部分に先端粘着層１２ｂを設けることにより、その部分を床面Ｗに確実に引っ掛けることができるため、害虫Ｐの包み込み処理を容易かつ確実に行うことができる。
【００３９】
そして、このようにして害虫Ｐを包み込むように捕獲したならば、そのままゴミ箱の上などに移動してそのままクランプ２２のハンドル２２ｂをつまみ上げれば、その捕虫シート１００を、捕らえた害虫Ｐと共に抑えプレート２１から離脱（落下）してゴミ箱内に収容されることになる。これによって、捕獲した害虫Ｐに触れたり、直接目にしたりすることなく、衛生的かつスマートに始末することができる。
【００４０】
このように本発明に係る捕虫シート１００は、シート本体１０の粘着面１２の粘着層１２ａに網状体１１を備えたため、シート本体１０の粘着面１２を床面や壁面Ｗなどに接触させたときに、網状体１１が邪魔となってその粘着層１２ａが床面や壁面Ｗなどと直接接触し難くなってシート本体１０が床面や壁面Ｗなどと強く粘着することを防止できる。その結果、床面や壁面Ｗなどに粘着剤が残らないため、床面Ｗを汚すこともない。
【００４１】
また、害虫Ｐを捕獲した後に、その折り線１５部分からシート本体１０を容易に二つ折りできるため、捕獲した害虫Ｐを包み込むようにしてスマートに処理することができる。さらに、害虫Ｐを捕獲した後、これをシート本体１０を二つ折りして包み込んで処理する際に、その先端粘着層１２ｂを床面などに接触させてその部分を床面Ｗに軽く粘着させるようにすれば、容易且つ確実に害虫Ｐの包み込み処理を行うことができる。
【００４２】
次に、図１６乃至図１９は本発明に係る捕虫シート１００の他の実施の実施形態を示したものであり、図１６はその表面図、図１７はその裏面図、図１８は図１中Ａ−Ａ線断面図、図１９は図３中Ａ方向から見た正面図である。図示するように本実施の形態に係る捕虫シート１００は、ほぼ矩形状をした軟質のシート本体１０の粘着面（表面）１２に半球状をした突起１６が複数ほぼ等間隔かつ格子点状に設けられていると共に、この突起１６部分を除くほぼ全面に粘着層１２ａが形成された構造となっている。
【００４３】
また、この粘着層１２ａの上には剥離紙１３が重ねて設けられており、粘着層１２ａをシート本体１０側に残して剥がし取ることができるようになっている。一方、この粘着面１２の反対面（裏面）は前記実施の形態と同様に粘着層１２ａなどは設けられておらず、シート本体１０の地肌がそのまま剥き出し状態となっている。
【００４４】
本実施の形態に係るシート本体１０上の粘着層１２ａは、前記実施の形態と同様にゴム系やアクリル系などの公知の粘着剤からなっているが、突起１６部分を除くその表面の全体に形成されている。すなわち図１８に示すようにこの粘着面１２の各突起１６部分には粘着層１２ａが形成されておらず、従って、その粘着層１２ａ上に被覆される剥離紙１３の突起１６に位置する部分にも突起１６が剥き出しになるようにそれぞれ貫通穴１３ａが形成されている。
【００４５】
このような構成をした本実施の形態に係る捕虫シート１００の場合は、粘着面１２に粘着層１２ａを有しない突起１６が複数が設けられているため、これらの突起１６が前記の網状体１１と同様に作用してその捕虫シート１００がそのまま床面Ｗなどにべったりと貼り付いてしまったり、粘着層１２ａの粘着剤が床面Ｗなどに残って汚してしまうような事態を回避することができる。また、仮にその捕虫シート１００で害虫Ｐを捕捉し損なった場合でも同様であり、捕虫シート１００の粘着面１２が床面Ｗなどに粘着して剥がれなくなってしまうようなことはない。
【００４６】
なお、このような構成をした本実施の形態に係る捕虫シート１００の製造方法としては、特に限定するものではないが、例えば図２０に示すような工程によって容易に製造することができる。すなわち予め突起１６部分に合わせて貫通穴１３ａが形成されたロール状の接着剤付き剥離紙１３と、ロール状のシート本体１０をそれぞれのロールから、剥離紙１３の貫通穴１３ａに突起１６部分が位置するように同期させて繰り出しながら、圧着ローラＲ１、Ｒ２によって接着剤側がシート本体１０になるようにその剥離紙１３とシート本体１０を重ね合わせて圧着した後、型抜き機Ｒ３によって図１６に示すような形状に型抜きすることで連続的に製造することができる。
【符号の説明】
【００４７】
１００…捕虫シート
１０…シート本体
１１…網状体
１２…粘着面
１２ａ…粘着層
１２ｂ…先端粘着層
１３…剥離紙
１３ａ…貫通穴
１５…折り線
１６…突起
２０…捕虫具
Ｐ…害虫
Ｗ…床面または壁面
【図１】
2019176840.tif 000003
【図２】
2019176840.tif 000004
【図３】
2019176840.tif 000005
【図４】
2019176840.tif 000006
【図５】
2019176840.tif 000007
【図６】
2019176840.tif 000008
【図７】
2019176840.tif 000009
【図８】
2019176840.tif 000010
【図９】
2019176840.tif 000011
【図１０】
2019176840.tif 000012
【図１１】
2019176840.tif 000013
【図１２】
2019176840.tif 000014
【図１３】
2019176840.tif 000015
【図１４】
2019176840.tif 000016
【図１５】
2019176840.tif 000017
【図１６】
2019176840.tif 000018
【図１７】
2019176840.tif 000019
【図１８】
2019176840.tif 000020
【図１９】
2019176840.tif 000021
【図２０】
2019176840.tif 000022
【国際調査報告】
2019176840.tif 000023
2019176840.tif 000024
2019176840.tif 000025
2019176840.tif 000026